(57)【要約】【課題】投射条件の設定状態を素早く変更することができるプロジェクタ機能付きデジタルカメラの提供。【解決手段】プロジェクタ機能付きデジタルカメラは、撮影光学系１００により結像された被写体像を撮像素子１０１で撮像する撮影ユニット１０と、画像データに基づく投射用画像を投射する投射ユニット２０と、第１の操作部１１３Ａと、投射用画像の投射中に第１の操作部１１３Ａと同時に操作することにより、投射用画像に関する投射条件の設定状態を変更する第２の操作部１１４とを備える。【選択図】図１
2008252484.tif 000002
【特許請求の範囲】
【請求項１】
撮影光学系により結像された被写体像を撮像素子で撮像する撮影ユニットと、
画像データに基づく投射用画像を投射する投射ユニットと、
第１の操作部と、
前記投射用画像の投射中に前記第１の操作部と同時に操作することにより、前記投射用画像に関する投射条件の設定状態を変更する第２の操作部とを備えたことを特徴とするプロジェクタ機能付きデジタルカメラ。
【請求項２】
請求項１に記載のプロジェクタ機能付きデジタルカメラにおいて、
前記同時操作に先立って前記第１の操作部を操作すると、複数の投射条件のいずれかが選択され、
前記同時操作により、前記選択された投射条件の設定状態が変更されることを特徴とするプロジェクタ機能付きデジタルカメラ。
【請求項３】
請求項１に記載のプロジェクタ機能付きデジタルカメラにおいて、
前記第１の操作部は、前記投射用画像に関する複数の投射条件に対応して複数設けられ、
前記投射用画像の投射中に前記複数の第１の操作部のいずれか一つと前記第２の操作部とを同時に操作すると、操作されている第１の操作部に対応した投射条件の設定状態が変更されることを特徴とするプロジェクタ機能付きデジタルカメラ。
【請求項４】
請求項１〜３のいずれか一項に記載のプロジェクタ機能付きデジタルカメラにおいて、
前記投射条件の設定状態の変更の際に投射条件設定用表示を表示する表示装置を備えたことを特徴とするプロジェクタ機能付きデジタルカメラ。
【請求項５】
請求項４に記載のプロジェクタ機能付きデジタルカメラにおいて、
前記投射条件の設定状態の変更の際に、前記表示装置への調整用画像の表示および前記投射ユニットによる調整用画像の投射の少なくとも一方を行うことを特徴とするプロジェクタ機能付きデジタルカメラ。
【請求項６】
撮影光学系により結像された被写体像を撮像素子で撮像する撮影ユニットと、
画像データに基づく投射用画像を投射する投射ユニットと、
前記撮影ユニットによる撮影中は前記撮影光学系のズーム動作を指示するズームボタンとして機能し、前記投射ユニットによる投射中は前記投射用画像に関する投射条件の設定状態を変更する操作ボタンとして機能するシーソー型の操作部材とを備えたことを特徴とするプロジェクタ機能付きデジタルカメラ。
【請求項７】
請求項６に記載のプロジェクタ機能付きデジタルカメラにおいて、
前記操作部材は、その配置位置を第１の位置と第２の位置との間で変更可能に構成され、
投射中に前記操作部材を前記第１の位置において操作すると第１の投射条件の設定状態が変更され、投射中に前記操作部材を前記第２の位置において操作すると第２の投射条件の設定状態が変更されることを特徴とするプロジェクタ機能付きデジタルカメラ。
【発明の詳細な説明】
【技術分野】
【０００１】
本発明は、プロジェクタ機能付きデジタルカメラに関する。
【背景技術】
【０００２】
プロジェクタモジュールを内蔵したデジタルカメラが知られている（例えば、特許文献１参照）。
【０００３】
【特許文献１】特開２００５−２５０３９２号公報
【発明の開示】
【発明が解決しようとする課題】
【０００４】
しかしながら、従来のプロジェクタ機能付きデジタルカメラでは、投射画像の状態（輝度や色調や台形補正など）を投射中に素早く変更できるような構成になっていなかった。
【課題を解決するための手段】
【０００５】
請求項１に発明によるプロジェクタ機能付きデジタルカメラは、撮影光学系により結像された被写体像を撮像素子で撮像する撮影ユニットと、画像データに基づく投射用画像を投射する投射ユニットと、第１の操作部と、投射用画像の投射中に第１の操作部と同時に操作することにより、投射用画像に関する投射条件の設定状態を変更する第２の操作部とを備えたことを特徴とする。
請求項２の発明は、請求項１に記載のプロジェクタ機能付きデジタルカメラにおいて、同時操作に先立って第１の操作部を操作すると、複数の投射条件のいずれかが選択され、同時操作により、選択された投射条件の設定状態が変更されるようにしたものである。
請求項３の発明は、請求項１に記載のプロジェクタ機能付きデジタルカメラにおいて、第１の操作部は、投射用画像に関する複数の投射条件に対応して複数設けられ、投射用画像の投射中に複数の第１の操作部のいずれか一つと第２の操作部とを同時に操作すると、操作されている第１の操作部に対応した投射条件の設定状態が変更されるようにしたものである。
請求項４の発明は、請求項１〜３のいずれか一項に記載のプロジェクタ機能付きデジタルカメラにおいて、投射条件の設定状態の変更の際に投射条件設定用表示を表示する表示装置を備えたものである。
請求項５の発明は、請求項４に記載のプロジェクタ機能付きデジタルカメラにおいて、投射条件の設定状態の変更の際に、表示装置への調整用画像の表示および投射ユニットによる調整用画像の投射の少なくとも一方を行うようにしたものである。
請求項６の発明によるプロジェクタ機能付きデジタルカメラは、撮影光学系により結像された被写体像を撮像素子で撮像する撮影ユニットと、画像データに基づく投射用画像を投射する投射ユニットと、撮影ユニットによる撮影中は撮影光学系のズーム動作を指示するズームボタンとして機能し、投射ユニットによる投射中は投射用画像に関する投射条件の設定状態を変更する操作ボタンとして機能するシーソー型の操作部材とを備えたことを特徴とする。
請求項７の発明は、請求項６に記載のプロジェクタ機能付きデジタルカメラにおいて、操作部材は、その配置位置を第１の位置と第２の位置との間で変更可能に構成され、投射中に操作部材を第１の位置において操作すると第１の投射条件の設定状態が変更され、投射中に操作部材を第２の位置において操作すると第２の投射条件の設定状態が変更されるようにしたものである。
【発明の効果】
【０００６】
本発明によれば、投射条件の設定状態を素早く変更することができる。
【発明を実施するための最良の形態】
【０００７】
以下、図を参照して本発明を実施するための最良の形態について説明する。図１は、本発明によるプロジェクタ機能付きデジタルカメラの一実施の形態を示す図である。図１はデジタルカメラ１の外観を示す図であり、（ａ）はデジタルカメラ１の正面側を示す図であり、（ｂ）は背面側を示す図である。
【０００８】
図１（ａ）に示すように、デジタルカメラ１の筐体内には、撮影ユニット１０とプロジェクタユニット２０とが設けられている。撮影ユニット１０の撮影光学系１００で結像された被写体像は、撮像素子１０１により撮像される。投射ユニット２０は撮影ユニット１０の図示左側に配置されており、筐体の前面に設けられた投射窓２０ａからカメラ前方のスクリーンや壁などに向けて投射光が出射される。画像投射を行う場合には、デジタルカメラ１は、机上や不図示のクレードルなどに載置される。
【０００９】
図１（ｂ）に示すように、デジタルカメラ１の背面側には、液晶モニタ１２、メニューボタン１１２、ロータリーマルチセレクター１１４、ズームレバー１１１および操作ボタン１１３Ａ〜１１３Ｃが配置されている。操作ボタン１１３Ａは、液晶モニタ１２に画像を再生する再生モードにおいて、メモリカードＭＣに記録されている画像データの削除操作をするためのボタンとして機能する。プロジェクタユニット２０により画像の投射を行うモード（以下、ＰＪモードと呼ぶ）においては、投射画像の輝度調整用のボタンとして機能する。
【００１０】
操作ボタン１１３Ｂは、撮影モードと再生モードとを切り替えるモード切替ボタンとして機能する。ＰＪモードにおいては、色調調整用のボタンとして機能する。操作ボタン１１３Ｃはフェイスクリアモードボタンである。撮影モードにおいてフェイスクリアモードボタンを押すと、人物撮影に適したフェイスクリアモードとなり、人物を浮き立たせて立体感ある画像が撮影される。ＰＪモードにおいては、台形補正調整用のボタンとして機能する。
【００１１】
また、カメラ上面にはシャッターボタン１１、ＰＪボタン１３、電源スイッチ１４が設けられている。図示していないが、液晶モニタ１２の表面にはタッチパネルが設けられており、液晶モニタ１２の表面をタッチすることで、種々の指示を入力することができる。ＰＪボタン１３は、撮影モードまたは再生モードと、プロジェクタユニット２０による投射を行うＰＪモードとを切り替えるボタンである。電源オンによりカメラは撮影モードで起動し、操作ボタン１１３Ｂを押すと再生モードに切り替わる。そして、撮影モードまたは再生モードのときにＰＪボタン１３を押すとＰＪモードに切り替わり、ＰＪボタン１３をさらに押すと元の撮影モードまたは再生モードに戻る。
【００１２】
ロータリーマルチセレクター１１４は、外周部１１４ａ、回転部１１４ｂ、ＯＫボタン１１４ｃから構成されている。メニュー画面で表示されている項目や画像を選択する際には、外周部１１４ａの上下部分および左右部分を押す方法と、回転部１１４ｂを回転させる方法とがある。ＯＫボタン１１４ｃを押すと、選択した項目や画像の選択が確定される。また、後述するように、回転部１１４ｂを回転させることで、ＰＪモードにおける画像調整時の調整量を変更することができる。
【００１３】
図２はプロジェクタユニット２０の構成を示す図であり、（ｂ）は（ａ）のＡ１−Ａ１断面図である。プロジェクタユニット２０は、高輝度ＬＥＤ等の光源２２１と、集光レンズ２２２と、偏光ビームスプリッタ２２３と、液晶パネル２２４と、投影レンズ２２５と、屈曲プリズム２２８と、これらを収容するケース２２６とを備えている。光源２２１には、放熱ブロック２２７が密着して設けられている。液晶パネル２２４にはＬＣＯＳ等の反射型液晶パネルが用いられているが、透過型の液晶パネルを用いても良い。
【００１４】
集光レンズ２２２は、光源２２１からの光を略平行光にして偏光ビームスプリッタ２２３へ入射させる。偏光ビームスプリッタ２２３に入射した光の内、Ｐ偏光は偏光ビームスプリッタ２２３を透過して液晶パネル２２４を照明する。液晶パネル２２４は、赤、緑、青のフィルターが形成された複数の画素から構成され、カラーの画像を生成するように駆動されている。
【００１５】
液晶パネル２２４の液晶層を透過する光は、液晶パネル２２４へ入射されると当該液晶層を進行し、液晶パネル２２４の反射面で反射された後、液晶層を逆方向に進行して液晶パネル２２４から射出され、偏光ビームスプリッタ２２３へ再度入射される。電圧が印加された液晶層は位相板として機能するので、偏光ビームスプリッタ２２３へ再度入射される光は、Ｓ偏光である変調光とＰ偏光である非変調光との混合光である。偏光ビームスプリッタ２２３は、再入射された光束のうちＳ偏光成分である変調光のみを偏光分離部で反射する。その反射された変調光は、投影レンズ２２５および屈曲プリズム２２８を介して投射窓２０ａからカメラ前方に出射される。
【００１６】
図３はデジタルカメラ１のブロック図である。デジタルカメラ１には、上述した撮影ユニット１０、プロジェクタユニット２０、液晶モニタ１２、プロジェクタユニット２０の光源２２１および液晶パネル２２４の他に、画像処理部６０、操作部９１、ＣＰＵ９２、ビデオ出力端子９３、記憶部９４、タッチパネル９５、位置検出部９６、メモリカードＭＣなどを備えている。
【００１７】
操作部９１は、上述したシャッターボタン１１、ＰＪボタン１３、電源スイッチ１４、ズームレバー１１１、メニューボタン１１２、操作ボタン１１３Ａ〜１１３Ｃ、ロータリーマルチセレクター１１４を含む。画像処理部６０は、信号変換・処理回路６１、圧縮・伸張回路６２、モニタ表示回路６３、パネル表示回路６４を含む。液晶モニタ１２の表面に設けられているタッチパネル９５を指等でタッチすると、位置検出部９６によりタッチ位置が検出される。その検出位置情報はＣＰＵ９２に入力される。
【００１８】
記憶部９４は、バッファメモリやＣＰＵ９２のワーキングメモリを含む。ビデオ出力端子９３からは、投射画像、撮影画像および再生画像の画像信号が出力される。例えば、ビデオ出力端子９３に表示モニタを接続することで、その表示モニタに投射画像、撮影画像および再生画像を表示させることができる。
【００１９】
撮影ユニット１０の撮影レンズ１００を通過した光束は、撮像素子１０１に受光されて光電変換される。撮像素子１０１の光電変換出力は、画像処理部６０の信号変換・処理回路６１でＡ／Ｄ変換されるとともに、種々の画像処理が施され、画像データが生成される。画像データは、圧縮・伸張回路６２で圧縮され、像記録媒体であるメモリカードＭＣに記録される。
【００２０】
この際、画像データは付加情報とともにExifファイルとして記憶される。Exifとは画像ファイルを記憶するためのファイルフォーマットであり、Exifファイルでは、画像データとあわせて撮影時の様々な付加情報が画像ファイルとして保存される。付加情報としては、例えば、撮影された日時やタイトルや機種名、シャッタースピードや絞り値などの撮影条件、画像データを正しく読み取るための圧縮モードや画素数などの情報がある。さらに、画像ファイルには主画像である画像データに加えて、サムネイル画像を表示するためのサムネイルデータも記録される。
【００２１】
カメラを再生モードに設定すると、メモリカードＭＣに記録されている画像データに基づく表示用画像を液晶モニタ１２に表示することができる。この場合、表示すべき画像データがメモリカードＭＣから読み込まれ、圧縮／伸張回路６２にて伸張され、信号変換・処理回路６１を経由してモニタ表示回路６３に送られる。モニタ表示回路６３は、入力された画像を液晶モニタ１２に表示する。
【００２２】
カメラを撮影モードに設定すると、撮像素子１０１により繰り返し撮像される画像が、液晶モニタ１２に動画として表示される。このように、繰り返し撮像される動画をスルー画と呼び、撮影者はスルー画を見ながら構図決定を行うことができる。なお、デジタルカメラ１は動画撮影モードも備えていて、撮像素子１０１により繰り返し撮像される画像を動画としてメモリカードＭＣに記憶させることができる。
【００２３】
ＰＪモードでは、メモリカードＭＣに記録された画像データに基づく投射用画像を、プロジェクタユニット２０により投射することができる。この場合、投射すべき画像データがメモリカードＭＣから読み込まれ、圧縮・伸張回路６２にて伸張され、信号変換・処理回路６１を経由してパネル表示回路６４に送られる。パネル表示回路６４は、入力された画像データを液晶パネル２２４に表示する。この状態で光源２２１を点灯すると、液晶パネル２２４に表示されている画像が投射画像として読み出され、投射窓２０ａから投射される。
【００２４】
《調整動作の説明》
次に、投射中に投射画像の調整、例えば、輝度調整、色調調整、台形補正調整などを行う場合の動作について説明する。電源スイッチ１４をオン操作すると、カメラが起動し撮影モードとなる。ＰＪボタン１３を押すとＰＪモードに切り替わり、画像投射が可能な状態となる。このとき、スクリーンには予め定められた所定画像がプロジェクタユニット２０により投射され、液晶モニタ１２は消灯状態となっている。所定画像とは、カメラ内に予め記憶されている画像であるが、ユーザが所望の画像から作成できるようにしても良い。
【００２５】
次いで、ロータリーマルチセレクター１１４の外周部１１４ａの上部を押すと、メモリカードＭＣに記憶されている画像データの内の直近の画像データに基づいて、投射画像が投射される。画像送り操作をする際には、ロータリーマルチセレクター１１４の外周部１１４ａの上部を押す。逆に、画像戻り操作をする場合には、外周部１１４ａの下部を押す。また、外周部１１４ａの上部または下部を押す代わりに、回転部１１４ｂを時計回りまたは反時計回りに回転しても良い。
【００２６】
[画像調整方法の第１の例]
第１の例では、投射画像の画像調整を行う場合にはメニューボタン１１２を押す。メニューボタン１１２が押されると液晶モニタ１２が点灯され、液晶モニタ１２に図４（ａ）に示すような調整モード画面が表示される。調整モード画面には、調整可能な項目が表示されている。図４（ａ）に示す例では、輝度、色調、台形補正の３つの項目が表示されているが、調整可能な項目はこれに限らない。図４（ａ）では輝度の項目に選択状態を示す枠１２３が表示されているが、選択状態の項目を変更する場合には、ロータリーマルチセレクター１１４の外周部１１４ａの上部または下部を押して、枠１２３を上下に移動させる。
【００２７】
なお、調整モード画面に入ったときにどの項目が選択状態になるかは、直近の調整動作における最後の調整項目に依存している。直近の調整動作で、最後に輝度調整が行われた場合にはそのことが記憶部９４に記憶され、再び調整モード画面に入ったときに輝度の項目が選択状態になる。一方、色調調整が最後に行われた場合には、調整モード画面に入ったときに色調の項目が選択状態になり、図４（ａ）の画面表示において色調の部分に枠１２３が表示される。このように、調整が行われる傾向が高い項目を選択状態とすることで、すばやく調整動作を行うことができる。
【００２８】
図４（ａ）に示す選択状態でＯＫボタン１１４ｃを押すと輝度調整状態となり、液晶モニタ１２の表示が図４（ｂ）に示す輝度調整画面に切り替わる。液晶モニタ１２には、輝度調整用画像１２０、スライドバー１２１が表示される。また、投射画像も、液晶モニタ１２に表示される輝度調整用画像１２０と同一の画像に切り替わる。輝度調整用画像１２０は輝度調整に適した画像であり、予め設定されている。スライドバー１２１は輝度調整状態を示す指標であり、スライダ１２２の位置によって現在の輝度調整状態がわかる。なお、スクリーン上にも輝度調整用画像が投射されるので、液晶モニタ１２上の輝度調整画像１２０は表示しなくても構わない。さらには、輝度調整用画像をスクリーン上または液晶モニタ１２のいずれか一方にだけ表示するようにしても良い。
【００２９】
操作者は、スクリーン上または液晶モニタ１２上の輝度調整用画像を見ながら輝度調整を行う。輝度を上げる場合には、ロータリーマルチセレクター１１４の回転部１１４ｂを時計回りに回転するか、または、外周部１１４ａの右部を押す。その結果、スライダ１２２は右側に移動し、輝度調整用画像１２０の輝度が増加する。投射画像の輝度も同時に増加する。逆に、輝度を下げる場合には、回転部１１４ｂを反時計回りに回転するか、または、外周部１１４ａの左部を押す。それにより、スライダ１２２は左側に移動し、輝度調整用画像１２０の輝度が低下する。ここでは、ロータリーマルチセレクター１１４の操作で調整量を変化させたが、ズームレバー１１１の操作により変化させるようにしても良い。その場合、ズームレバー１１１の右側Ｔを押すと調整量が大きくなり、左側Ｗを押すと調整量が小さくなる。以下では、ロータリーマルチセレクター１１４を用いる場合を例に説明する。
【００３０】
所望の輝度状態となったならば、ＯＫボタン１１４ｃを押して輝度調整状態を確定する。ＯＫボタン１１４ｃを押すと、液晶モニタ１２の画面は、図４（ｂ）の状態から図４（ａ）の状態に戻り、スクリーン上には調整済みの投射用画像が投射される。輝度以外の項目についての調整動作は輝度の場合と同様なので、説明を省略する。なお、色調調整を行う場合には色調調整に適した調整用画像が表示および投射され、台形補正の調整を行う場合には台形補正に適した調整用画像が表示および投射される。
【００３１】
[画像調整方法の第２の例]
上述した第１の例では、いったんメニュー画面を表示させてから調整を行うようにしたが、以下に述べる第２の例では、一回のボタン操作で図４（ｂ）に示す調整状態となるようにした。すなわち、投射中に操作ボタン１１３Ａを押すと輝度調整状態となり、液晶モニタ１２は図４（ｂ）に示す表示状態となる。スクリーン上には輝度調整用画像が投射される。操作ボタン１１３Ａを押されたままとなっており、その状態でロータリーマルチセレクター１１４を操作すると調整量が変更される。そして、調整量の変更操作をした後に操作ボタン１１３Ａの押圧を止めると、カメラは元の投射状態に戻る。
【００３２】
色調を調整する場合には、操作ボタン１１３Ａを１回押して輝度調整状態にした後に、操作ボタン１１３Ａをさらに１回押して色調調整状態に切り替える。そして、操作ボタン１１３Ａの押圧状態を継続しつつロータリーマルチセレクター１１４を操作し、色調を変更する。台形補正の調整を行う場合には、色調調整状態にした後に、操作ボタン１１３Ａをさらに１回押して台形補正調整状態に切り替える。そして、色調調整の場合と同様に、操作ボタン１１３Ａの押圧状態を継続しつつロータリーマルチセレクター１１４を操作して、台形補正の調整を行う。
【００３３】
第２の例の場合、ロータリーマルチセレクター１１４を操作して調整を行うと、その調整項目（輝度、色調、台形補正）が記憶部９４に記憶され、その後に操作ボタン１１３Ａが操作されると、記憶された調整項目に関する調整状態に切り替わる。例えば、色調調整が終了して投射状態となった後に、再び操作ボタン１１３Ａを押すと、投射状態から色調調整状態に切り替わり、色調の調整を素早く行うことができる。このように、操作ボタン１１３Ａを操作すると、直前に調整をした調整項目と同じ調整項目に切り替わるので、調整作業を素早く行うことができる。なお、操作ボタン１１３Ａを押すたびに、調整状態は輝度→色調→台形補正→輝度のようにサイクリックに切り替わる。
【００３４】
（変形例）
なお、上述した例では、投射中に操作ボタン１１３Ａを１回押すことで輝度調整状態となったが、操作ボタン１１３Ａの操作を省略し、投射中にロータリーマルチセレクター１１４の回転部１１４ｂを回転するだけで輝度を増減できるような構成としても良い。この場合、投射時の画像送り・戻り操作は外周部１１４ａの右部および左部を押すことで行う。また、ロータリーマルチセレクター１１４に代えてズームレバー１１１で投射中の輝度調整を行うようにしても良い。この場合、ロータリーマルチセレクター１１４で画像送り・戻り操作を行うようにする。そして、輝度以外の項目を調整する場合には、操作ボタン１１３Ａを操作して項目の切換を行う。
【００３５】
[画像調整方法の第３の例]
上述した第２の例では、操作ボタン１１３Ａを押す回数によって調整項目をサイクリックに変更するようにしたが、第３の例では、調整項目に応じて長押しする操作ボタンを変えるようにした。例えば、画像投射中に操作ボタン１１３Ａを押すと、操作ボタン１１３Ａが押されている間は輝度調整状態となる。そして、操作ボタン１１３Ａの押圧を止めるとカメラは元の投射状態に戻り、液晶モニタ１２の表示状態は元の状態（消灯状態）となり、スクリーン上の投射画像も調整用の画像から元の画像に戻る。
【００３６】
輝度調整状態になると、液晶モニタ１２は図４（ｂ）に示す表示状態となり、スクリーン上には輝度調整用画像が投射される。輝度を変更するには、操作ボタン１１３Ａを押しながら、ロータリーマルチセレクター１１４の回転部１１４ｂを回転するか、または、外周部１１４ａを押すかして、輝度を上下させる。そして、操作ボタン１１３Ａの押圧を止めると、押圧を止めたときの輝度状態に設定変更される。輝度の変更にはズームレバー１１１を用いても良い。
【００３７】
輝度調整の場合には、操作ボタン１１３Ａを押しながら調整量を変化させるための操作部（ロータリーマルチセレクター１１４やズームレバー１１１）を同時に操作したが、色調を調整する場合には操作ボタン１１３Ａに代えて操作ボタン１１３Ｂを、台形補正を調整する場合には操作ボタン１１３Ａに代えて操作ボタン１１３Ｃをそれぞれ押圧しながらロータリーマルチセレクター１１４を操作する。このように、第３の例では、投射時に操作ボタン１１３Ａ〜１１３Ｃとロータリーマルチセレクター１１４とを同時操作することで、輝度，色調および台形補正の調整を素早く容易に行うことができる。
【００３８】
[画像調整方法の第４の例]
上述した第３の例では、調整量を変更する際に、操作ボタン１１３Ａ〜１１３Ｃとロータリーマルチセレクター１１４またはズームレバー１１１を同時に操作したが、第４の例ではズームレバー１１１を操作するだけで輝度調整などが行えるようにした。図５はそのようなズームレバー１１１の構成の一例を示す図であり、（ａ）は平面図、（ｂ）はＢ１−Ｂ１断面図である。ズームレバー１１１はシーソー型の操作ボタンであり、左右に傾くキートップ１３０と、キートップの１３０の下方に配置されたドームスイッチ１４０Ａ〜１４０Ｄを備えている。
【００３９】
図５（ａ）において、キートップ１３０は実線で示す上側位置と破線で示す下側位置との間でスライド可能に構成されている。キートップ１３０は右側の操作部１３０ａを押し下げると右側に傾き、左側の操作部１３０ｂを押し下げると左側に傾く。各操作部１３０ａ，１３０ｂの裏側には、凸部１３１ａ，１３１ｂが形成されている。キートップ１３０を上側位置にスライドすると、凸部１３１ａ，１３１ｂがドームスイッチ１４０Ａ，１４０Ｂの上方に位置決めされる。逆に、キートップ１３０を下側位置にスライドすると、凸部１３１ａ，１３１ｂはドームスイッチ１４０Ｃ，１４０Ｄの上方に位置決めされる。
【００４０】
そのため、キートップ１３０が上側位置にある場合には、キートップ１３０の操作部１３０ａを押し下げると、ドームスイッチ１４０Ａの電極１４１Ａが凸部１３１ａにより下方に駆動される。その結果、電極１４１Ａと電極１４２Ａとが接触し、ドームスイッチ１４０Ａがオン状態となる。逆に、反対側の操作部１３０ｂを押し下げると、ドームスイッチ１４０Ｂの電極１４１Ｂが凸部１３１ｂにより下方に駆動され、電極１４１Ｂと電極１４２Ｂとが接触してドームスイッチ１４０Ｂがオン状態となる。
【００４１】
一方、キートップ１３０が下側位置にある場合にも同様であって、操作部１３０ａを押し下げるとドームスイッチ１４０Ｃがオン状態となる。逆に、反対側の操作部１３０ｂを押し下げるとドームスイッチ１４０Ｄがオン状態となる。
【００４２】
さらに、図示していないが、キートップ１３０には、ＰＪモードにおいて、上側位置および下側位置に応じて調整状態を切り替えるスイッチが設けられている。ＰＪモードにおいてキートップ１３０を上側位置に移動する輝度調整状態となり、下側位置に移動すると色調調整状態となる。いずれの調整状態においても、右側の操作部１３０ａを押し下げると右側のドームスイッチ１４０Ａ，１４０Ｃがオン状態となって調整量が増加し、左側の操作部１３０ｂを押し下げると左側のドームスイッチ１４０Ｂ，１４０Ｄがオン状態となって調整量が減少する。
【００４３】
一方、撮影モードにおいては、キートップ１３０が上側位置および下側位置のいずれに位置決めされていても、ズームレバー１１１はズーム変更機能のみが付与される。操作部１３０ａを押し下げると撮影レンズ１００は望遠側に駆動され、逆に、操作部１３０ｂを押し下げると撮影レンズ１００は広角側に駆動される。
【００４４】
第４の例では、このようなズームレバー１１１を備えたことにより、ズームレバー１１１を操作するだけで輝度調整と色調調整を素早く行うことができる。例えば、輝度調整を行う機会が比較的多い場合には、ズームレバー１１１のキートップ１３０を上側位置に位置決めしておけば、投射中にズームレバー１１１の操作部１３０ａまたは１３０ｂを押し下げることで、直ちに輝度を下げたり上げたりすることができる。
【００４５】
なお、調整項目が輝度、色調、台形補正のように３種類以上ある場合には、調整機会の多い２項目をズームレバー１１１に割り当て、他の項目については第２の例や第３の例のように構成すれば良い。
【００４６】
なお、以上の説明はあくまでも一例であり、本発明の特徴を損なわない限り、本発明は上記実施の形態に何ら限定されるものではない。
【図面の簡単な説明】
【００４７】
【図１】デジタルカメラ１の外観を示す図であり、（ａ）は正面側を示す図、（ｂ）は背面側を示す図である。
【図２】プロジェクタユニット２０の構成を示す図である。
【図３】デジタルカメラ１のブロック図である。
【図４】画像調整時の液晶モニタ１２の表示を示す図であり、（ａ）は調整モード画面を示し、（ｂ）は輝度調整画面を示す。
【図５】ズームレバー１１１の構成の一例を示す図であり、（ａ）は平面図、（ｂ）はＢ１−Ｂ１断面図である。
【符号の説明】
【００４８】
１：デジタルカメラ、１０：撮影ユニット、１１：シャッターボタン、１２：液晶モニタ、１３：ＰＪボタン、１４：電源スイッチ、２０：プロジェクタユニット、６０：画像処理部、６１：信号変換・処理回路、６２：圧縮・伸張回路、６３：モニタ表示回路、６４：パネル表示回路、９１：操作部、９２：ＣＰＵ、９３：ビデオ出力端子、９４：記憶部、９５：タッチパネル、９６：位置検出部、１０１：撮像素子、１１１：ズームレバー、１１２：メニューボタン、１１３Ａ〜１１３Ｃ：操作ボタン、１１４：マルチモードセレクター、１２０：輝度調整用画像、１２１：スライドバー、１２２：スライダ、ＭＣ：メモリカード
【図１】
2008252484.tif 000003
【図２】
2008252484.tif 000004
【図３】
2008252484.tif 000005
【図４】
2008252484.tif 000006
【図５】
2008252484.tif 000007